(57)【要約】      （修正有）【課題】腰部、背中部における疲労感を、軽減する保健、体育用器具で、簡易な装着方法で装着でき、長時間の使用にも装着者の肉体的疲労を伴わない状態で使用し、疲労を緩和する事ができる疲労緩和具を提供する。【解決手段】非伸縮性素材又は伸縮性素材、その複合素材により構成し、腰椎から肩甲骨下部までの人体背部に装着するベルト部１と、その両端にそれぞれ接続され、両膝に懸けて固定する為の、端末を接合して一定長さのループに形成し、その接合部４の端末接合角度θを鋭角状に形成した２個の固定用ループ２ａ及び２ｂにより構成される。用途に対応して、前記ベルト部の一端と前記固定用ループの一方側との間に介在させたベルト長さ調節付き連結具３を設け、又、ベルト部１の背部当接位置に加圧体や発熱素材等を取り付けできる背当てパットを装着する。【選択図】図２
0003156477.tif 000002
【実用新案登録請求の範囲】
【請求項１】
腰椎から肩甲骨下部までの人体背面部に装着ベルト部１と、その両端に接続した、両膝や両足裏に懸けて固定する為に端末を接合し固定して一定長さのループに形成し、その接合部４の端末接合角度θを鋭角状に形成した２個の固定用ループ２ａ及び２ｂにより構成した事を特徴とする腰、背部の疲労緩和具。
【請求項２】
ベルト部１を非伸縮性素材により構成した事を特徴とする請求項１記載の腰、背部の疲労緩和具。
【請求項３】
ベルト部１を伸縮性素材により構成した事を特徴とする請求項１記載の腰、背部の疲労緩和具。
【請求項４】
固定用ループ２ａ及び２ｂをそれぞれ非伸縮性素材により構成した事を特徴とする請求項１記載の腰、背部の疲労緩和具。
【請求項５】
固定用ループ２ａ及び２ｂをそれぞれ伸縮性素材により構成した事を特徴とする請求項１記載の腰、背部の疲労緩和具。
【請求項６】
ベルト部１の一部に、用途に応じて加圧体や発熱素材等の付属品を取り付ける為の背当てパッド５を装着した事を特徴とする請求項１記載の腰、背部の疲労緩和具。
【請求項７】
ベルト部１の一端と、固定用ループ２ａ及び２ｂの一方の固定用ループの間にベルト長さ調節付き連結具４を介設した事を特徴とする請求項１記載の腰、背部の疲労緩和具。
【考案の詳細な説明】
【技術分野】
【０００１】  本考案は、腰、腰椎、背筋等の部位に負担のかかる作業、スポーツなどの運動行為において生じた疲労感に対して、背椎を中心として疲労部位に適切な圧力を加える事により、背椎及びその周辺の骨構造及び筋肉構造を適正に補正して、疲労感の低減と蓄積疲労の緩和を実現するものであり、保健、体育用器具の分野に関する。
【背景技術】
【０００２】  二足歩行動物である人間の身体において、背椎を直立させる背筋を伸ばした姿勢が、肉体にとって最も自然な状態であるとはいえ、人体の進化過程に起因する構造上の問題から、直立姿勢を維持したまま、長時間、スポーツや労働作業などの運動行為を行った場合、少なからず筋肉疲労の蓄積による疲労感を感じる事となる。これに対処する手段として、姿勢矯正具や姿勢保持具が幾つが考案されている。【０００３】  従来のこの種の器具は、矯正や負担部位の保護、既存障害の悪化防止をする事が主眼に置かれている為、全てが背当てパッド又は腰当てパッドが一体的に常設されていて、殆どが固定用ベルトの周長は可変的に構成されて長さ調節手段が設けられいる。使用時においては、膝部に懸けた固定用ベルトは膝の両側に沿って平面が平面が膝上部に当接しない状態となるので位置ずれが生じ膝部への索引力が不安定となり、装着感触も良くない。又、固定用ベルトの膝当て位置にクッションパッドが装着されていて、感触はよいが、反面、索引力を軽減する欠点がある。従って、調節個所が多く構造が複雑で装着が面倒であったり、装着時の運動阻害感や必要以上の圧迫感から不快感を伴うものが多く見受けられる。しかし、多くの人は矯正や保護を目的とせず、むしろ疲労感の低減、疲労蓄積の軽減という、誰もが経験する事のある腰、背中の疲労に対する器具が要望されている。そして、老若男女の別なく簡単に装着でき、装着した殆どの人に効果があり、色々な時、場所、目的に応じて対応でき、携帯も可能な器具が求められている。
【考案の開示】
【考案が解決しょうとする課題】
【０００４】  本考案は、これら従来器具の欠点を解消したものであり、固定用ベルトの長さ調節は不要であり、ベルト部を伸縮性素材で構成した場合は、ベルト部も長さ調節は必要でなくなる。従って、構造が極めて簡単であり、装着方法は簡易となるので誰にでも補助なく装着する事が可能である。また、軽量、小型化による携帯性の向上により携帯に適し、アウトドアスポーツ、野外作業時の疲労緩和に最適の効果を発揮する保健、体育器具である。
【課題を解決するための手段】
【０００５】  本考案はに係る疲労緩和具は、上記課題を解決するために構成され、非伸縮性または伸縮性素材、あるいはその複合素材により構成されて、腰椎から肩甲骨下部までの人体背面に装着するベルト部と、その両端にそれぞれ接続され、両膝に懸けて固定する為、端末を接合して一定長さのループに形成し、その接合部４の端末接合角度を鋭角状に形成した２個の固定用ループを基本要素として、前記ベルト部の一端と前記固定用ループの一方側との間に介在させたベルト長さ調節付き連結具と、用途に応じて適宜、加圧体や発熱素材等の付属品を取り付ける為の着脱自在な背当てパッドにより構成する。
【考案の効果】
【０００６】  本考案は、ベルト部１を腰椎から肩甲骨下部までの位置の間の背骨に沿って当て、中心部を疲労緩和対象部位に合わせて、２個の固定用ループ２ａと２ｂをそれぞれ左右の膝部や足裏部等の脚部に引っ掛けて装着する。この状態で上体を反らせて使用し、疲労部位に適切な圧力を掛ける事により、背椎を適正姿勢に合わせ疲労筋肉が刺激されて疲労が緩和される。
【０００７】  又、形状の小型化、簡易化、軽量化により、長時間の装着による負担も従来品に比べて軽減でき、小型形状と装着部位の最適合化により、他の部位への拘束感が少ない為、運動機能への制約を軽減できる。特に、固定用ベルトの端部接合角度が鋭角状に形成されたことにより、固定用ベルトの平面が膝部及び膝上部に密着して位置ずれを防止し、膝部への索引力が安定し、当接感触も良くなる。
【０００８】  又、本考案は、腰、背部の疲労部の状況により、ベルト部の人体背部に当接する位置に背当てバッどを装着し、それに加圧体や発熱素材など適当な付属品を取り付け又は収納する事により温熱効果や緊張効果を高める事もできる。
【考案を実施するための最良の形態】
【０００９】  図１により説明する。本考案において、ベルト部１及び固定用ループ２ａと２ｂは、共に伸縮性又は非伸縮性素材、あるいはその複合素材のベルト材を使用する。伸縮性素材を使用する場合は、適切な寸法に設定すれば長差可変手段が不要となり、長さ調節付き連結具は省略できる。伸縮性素材は装着のし易さ、伸縮の柔軟性、耐久性を考慮し、エラストマー系の特殊素材を使用して最適の伸縮性、装着保持性、快適性を実現することができる。膝部、足裏部の不快感解消のための緩衝性バットは必要に応じて使用できるようにする。固定用ループの端部の接合部は、膝部への適正な当接位置を保持し安定した索引力を加わり、かつ、違和感の軽減と当接感向上の為、周長を充分大きく設定し、端部接合角度を鋭角状に形成して独自のループに構成する。【００１０】  ベルト材の寸法については、非伸縮性素材及び伸縮性素材、又はその複合素材は共に厚さは０．５ｍｍ〜５．００ｍｍ。幅は、２０ｍｍ〜８０ｍｍとする。【００１１】  非伸縮性素材においては、材質はナイロン、ポリプロピレン、ポリエチレン、ポリエステル、アクリルなどの化学合成素材、及び皮革、木綿、麻などの天然素材を使用する。ベルト長さ調節付き連結具の長さ調整を実現するための可変機構は１０ｋｇの引っ張り力で壊れない強度を保持する。【００１２】  伸縮性素材基本的組成は、材質は熱可塑性エラストマー、ゴム類、複合素材等で、伸縮率は２０％〜２００％の範囲のものを使用する。【００１３】  ハイブリット素材においては、（１）脚部に装着する両端の固定用ループに伸縮性素材を使用し、それ以外の部分を非伸縮性素材にしたもの。（２）両端の固定用ループ非伸縮性素材を使用し、それ以外の部分を伸縮性素材にしたもの。（３）ベルト全体の中で、任意の部分に伸縮性素材と非伸縮性素材を使用したものが実施できる。
【実施例】
【００１４】  本考案の一実施例である疲労緩和具の構造及び使用用法を図１及び図２に示す実施例について説明する。本考案は、両端に脚部装着用の固定用ループを有するベルトで構成され、非伸縮型と伸縮型及び複合型（ハイブリット型）の３種がある。非伸縮型は図２に例示する通り長さ調節付き連結具を介してベルト部と２個の固定部ループを接続する。伸縮型、ハイブリット型は原則として長さの調節機能は有しないが、必要に応じ付加する可能性もある。装着の利便性から、右利き用（調節具が右）と左利き（調節具が左）のものを用意する。【００１５】    図１は、本考案の基本構成を示す実施例であり、１は、非伸縮性または伸縮性素材、あるいは複合素材により構成されて、腰椎から肩甲骨下部までの人体背面に装着するベルト部であり、２ａ及び２ｂは、ベルト部１の両端にそれぞれ接続され、両膝又は両足裏に懸けて固定する固定用ループである。固定用ループ２ａ及び２ｂの端末は接合して一定長さのループに形成し、その接合部４の端末接合角度θを鋭角状に形成する。【００１６】  図２は、他の実施例を示し、ベルト部１及び固定用ループ２ａ及び２ｂを伸縮性素材又は非伸縮性素材で構成する。人体背部に当接するベルト部１の中央部分に、押圧を付加する事を目的とした加圧体を取り付ける為の多数の装着孔６を設けた背パット５を装着する事もできる。その装着手段は、簡単に着脱できる係着テープやボタン型金具を使用する事もできる。この背当てパッド５は袋状に形成して温熱を付加する為の発熱素材などを収納する事もできる。又、ベルト部１と２個の固定用ループの一方側の間に、ベルト部１の長さを調節する為のベルト長さ調節連結具３を設ける。他者の介助が可能な場合を想定して、より緻密な調整が可能な長さ調節機能の付いたリングベルトを使用する。【００１７】  図３は、図２の実施例に示すベルト長さ調節付き連結具３の一例であり、連結具嵌挿部３ａと連結具嵌着部３ｂにより構成される。この種の連結具は嵌脱操作が容易な市販品を使用する事が可能であり有利である。【００１８】  図４は、必要に応じてベルト部１の人体背部に当接する中央部分に装着する板状の背当てパット５の実施例の人体当接面側の斜視図であり、加圧体などを装着する為の多数の装着孔６を穿設する。又、背面側には図５に示す通りベルト部１を装着する為の装着突起７を複数設ける。この背当てパッド５は、発熱素材を収納できるように袋状に形成しても良く、その場合は多数の装着孔は熱気の通気孔となる。【００１９】  図５は、背当てパット５をベルト部１に装着した状態の斜視図であり、背当てパッド５の背面側に突設した複数の対向する装着突起７の間にベルト部１を嵌着する。装着突起７は、ベルト部１の着脱が簡単にできる構造が好ましい。【００２０】  図６は、本校案の使用状態を示し、ベルト部１を腰椎から肩甲骨下部までの位置の間の背椎に沿って当接し、その中心部を疲労緩和対象部位に合わせ、２個の固定用ループ２ａと２ｂをそれぞれ左右の膝部や足裏部等の脚部に引っ掛けて装着する。当接するベルト部１の中心部の当接位置は、腰椎から肩甲骨下部までの範囲を自由に選択していずれの疲労部位にも簡単に合わせる事ができる。【００２１】  この状態���両脚に力を入れて上半身を反らすと、ベルト部１のの腰部、背部の当接部位に適当な圧力が加えられ、疲労筋肉が刺激されて疲労が緩和される。又、腰部や背部の疲労部の状況により、図２に示すベルト部の背部位置に背当てパット５を装着し、それに加圧体や発熱素材など適当な付属品を取り付け又は収納する事により、押圧や温熱による疲労緩和効果の相乗効果を期待する事ができる。
【図面の簡単な説明】
【００２２】
【図１】  本考案に係る腰、背部の疲労緩和具の基本構成を示す実施例の斜視図である。
【図２】  本考案に係る腰、背部の疲労緩和具において、ベルト部の一部に、ベルト長さ調節付き連結具や背当てパッドを装着した実施例の斜視図である。
【図３】  図２の実施例に示すベルト長さ調節付き連結具の一実施例を示す斜視図である。
【図４】  図２の実施例に示す背当てパットの実施例において、人体当接側を示す斜視図である。
【図５】  背当てパットをベルト部に装着した状態の斜視図である．
【図６】  本考案に係る腰、背部の疲労緩和具の使用状態を示す図である。
【符号の説明】
【００２３】１．  ベルト部
２ａ．２ｂ．  固定用ループ
３．  ベルト長さ調節付き連結具
３ａ．連結具嵌挿部
３ｂ．連結具嵌着部
４．  接合部
５．  背当てパット
６．  装着孔
７．  装着突起
【図１】
0003156477.tif 000003
【図２】
0003156477.tif 000004
【図３】
0003156477.tif 000005
【図４】
0003156477.tif 000006
【図５】
0003156477.tif 000007
【図６】
0003156477.tif 000008